(57)【特許請求の範囲】
【請求項１】
四側面を有する筒状の箱状体と、
箱状体の両端開口に各々設けられた密閉部とを備え、
少なくとも一方の密閉部は、対向する一対の側面から延びる一対の内側フラップと、他の一側面から延び一対の内側フラップに重ね合わされる外側フラップとを有し、
外側フラップは一対の内側フラップの各々に接合部により接合され、
外側フラップの接合部は各内側フラップ上に延びるとともに、接合部外周に、破断線が設けられていることを特徴とする包装用カートン。
【請求項２】
破断線は接合部外周に全周に渡って延びる断続した破断線からなることを特徴とする請求項１記載の包装用カートン。
【請求項３】
破断線は接合部外周に部分的に延びる連続した破断線からなることを特徴とする請求項１記載の包装用カートン。
【請求項４】
接合部外周の連続した破断線以外の部分には、断続した破断線が設けられていることを特徴とする請求項３記載の包装用カートン。
【請求項５】
破断線は接合部外周に設けられた、連続した破断線と、断続した破断線とからなることを特徴とする請求項１記載の包装用カートン。
【請求項６】
連続した破断線は、外側フラップの自由端側に設けられていることを特徴とする請求項３記載の包装用カートン。
【請求項７】
一対の内側フラップの外面には、接合部に対応する位置に一対の内側フラップと外側フラップとの接合を容易に行うための切込線が形成されていることを特徴とする請求項１記載の包装用カートン。
【発明の詳細な説明】
【０００１】
【発明の属する技術分野】
本発明は包装用カートンに係り、とりわけ開封状態を容易に認識することができる包装用カートンに関する。
【０００２】
【従来の技術】
従来より四側面を有する筒状の箱状体と、箱状体の両端部開口に各々設けられた密閉部とからなる包装用カートンが知られている。
【０００３】
各密閉部は、対向する一対の側面から延びる一対の内側フラップと、この内側フラップに重ね合わされる外側フラップとを有している。
【０００４】
【発明が解決しようとする課題】
包装用カートンを開封する場合、密閉部の外側フラップを外方へ揺動させた後、一対の内側フラップを外方へ揺動させ、包装用カートンの密閉部を開封する。その後カートン内の内容物を取り出す。
【０００５】
このような包装用カートンにおいて、流通過程でカートンの密閉部が開封され、内容物が改変された後に密閉部を再び閉止した場合、当該包装用カートンが異常品であるということを認識することがむずかしいという問題がある。
【０００６】
本発明はこのような点を考慮してなされたものであり、密閉部が開封されたことを容易に外部から認識することができる包装用カートンを提供することを目的とする。
【０００７】
【課題を解決するための手段】
本発明は、四側面を有する筒状の箱状体と、箱状体の両端開口に各々設けられた密閉部とを備え、少なくとも一方の密閉部は、対向する一対の側面から延びる一対の内側フラップと、他の一側面から延び一対の内側フラップに重ね合わされる外側フラップとを有し、外側フラップは一対の内側フラップに接合部により接合され、外側フラップの接合部外周に、破断線が設けられていることを特徴とする包装用カートンである。
【０００８】
本発明は、破断線は接合部外周に全周に渡って延びる断続した破断線からなることを特徴とする上記記載の包装用カートンである。
【０００９】
本発明は、破断線は接合部外周に部分的に延びる連続した破断線からなることを特徴とする上記記載の包装用カートンである。
【００１０】
本発明は、接合部外周の連続した破断線以外の部分には、断続した破断線が設けられていることを特徴とする上記記載の包装用カートンである。
【００１１】
本発明は、破断線は接合部外周に設けられた、連続した破断線と、断続した破断線とからなることを特徴とする上記記載の包装用カートンである。
【００１２】
本発明は、連続した破断線は、外側フラップの自由端に設けられていることを特徴とする上記記載の包装用カートンである。
【００１３】
本発明は、一対の内側フラップの外面には、接合部に対応する位置に一対の内側フラップと外側フラップとの接合を容易に行うための切込線が形成されていることを特徴とする上記記載の包装用カートンである。
【００１４】
【発明の実施の形態】
以下、図面を参照して本発明の実施の形態について説明する。
【００１５】
図１および図２は、本発明による包装用カートンの一実施の形態を示す図である。
【００１６】
図１および図２に示すように、包装用カートン１０は四側面を有する筒状の箱状体１１と、箱状体１１の両端開口１２，１２に各々設けられ、この開口１２，１２を密閉する一対の密閉部１３，１３とを備えている。
【００１７】
また両密閉部１３，１３は、いずれも対向する一対の側面、例えば側面１１ａ，１１ｃから開口１２側へ延びる一対の内側フラップ１５，１５と、一対の内側フラップ１５，１５に外側から重ね合わされる外側フラップ１７とを有している。また外側フラップ１７には、側面１１ｂ内に挿入される係止フラップ１８が連結されている。
【００１８】
図１に示すように、外側フラップ１７は、側面１１ａ，１１ｃに直交する側面１１ｄから開口１２側へ延びており、筒状の箱状体１１の開口１２は一対の内側フラップ１５，１５と外側フラップ１７の３つのフラップ１５，１７によって密閉される。
【００１９】
また、一対の内側フラップ１５，１５および外側フラップ１７は、いずれも対応する側面１１ａ，１１ｃ，１１ｄに揺動自在に設けられており、外側フラップ１７は一対の内側フラップ１５，１５にのり付け部（接合部）２２により接合されている。
【００２０】
また外側フラップ１７には、接合部２２の外周に位置する破断線２０が設けられている。外側フラップ１７の破断線２０は、接合部２２の外周のうち、係止フラップ１８側（外側フラップ１７の自由端側）に位置する連続した破断線２０ａと、外側フラップ１７の基端側に位置する断続した破断線２０ｂとからなっている。
【００２１】
このうち連続した破断線２０ａは、外側フラップ１７を貫通して連続的に延びる破断線をいう。また、断続した破断線２０ｂは、外側フラップ１７を貫通する線が断続的に形成された破断線をいい、この断続した破断線２０ｂにより破断線２０内部の領域２１を外側フラップ１７の一部として保持するようになっている。
【００２２】
また、一対の内側フラップ１５，１５の外面には、一対の内側フラップ１５，１５と外側フラップ１７との接合を確実に行うための切込線２３が設けられている。この切込線２３は、接合部２２に対応する位置に設けられ、内側フラップ１５，１５の外面を凹凸にして内側フラップ１５，１５と外側フラップ１７との間の接合を確実に行うためのものである。
【００２３】
次に図２により、包装用カートン１０を作製するためブランク３０について説明する。ブランク３０はカートン１０の四側面１１ａ，１１ｂ，１１ｃ，１１ｄに各々対応する側面パネル３１ａ，３１ｂ，３１ｃ，３１ｄを有しており、このうち側面パネル３１ａおよび３１ｃの両側部に、各々内側フラップ１５が連結されている。
【００２４】
また側面パネル３１ｂの左端部には外側フラップ１７が連結され、側面パネル３１ｄの右側部には外側フラップ１７が連結されている。そして各外側フラップ１７には、係止フラップ１８が連結されている。
【００２５】
さらに、各外側フラップ１７には、連続した破断線２０ａと、断続した破断線２０ｂとからなる破断線２０が設けられ、また内側フラップ１５の外面には切込線２３が設けられている。さらに側面パネル３１ｄには、のりしろフラップ３３が連結されている。
【００２６】
次にこのような構成からなる本実施の形態の作用について説明する。
【００２７】
まず図２に示すブランク３０を筒状に組み立てると共に、側面パネル３１ｄ側ののりしろフラップ３３を側面パネル３１ｃの内側に接合する。このようにして、両端に開口１２，１２が形成され、四側面１１ａ，１１ｂ，１１ｃ，１１ｄを有する箱状体１１が構成される。
【００２８】
その後、一方の開口１２を密閉部１３により密閉した後、箱状体１１内に内容物を挿入する。その後、他方の開口１２を密閉部１３により密閉する。
【００２９】
開口１２を密閉部１３で密閉する際、まず開口１２を覆うように、一対の内側フラップ１５，１５を折り曲げる。
【００３０】
その後、外側フラップ１７を折り曲げ、外側フラップ１７を内側フラップ１５，１５上に重ね合わせ、さらに係止フラップ１８を箱状体１１内に挿入する。同時にのり付け部（接合部）２２に設けた接着剤により、内側フラップ１５，１５と外側フラップ１７を接合する。
【００３１】
このようにして両端開口１２，１２が密閉部１３，１３により密閉された包装用カートン１０が得られる。
【００３２】
使用にあたって、まず使用者は、一方の密閉部１３の係止フラップ１８を箱状体１１から引出し、その後外側フラップ１７を内側フラップ１５，１５から引離す。このとき、接合部２２の外周の破断線２０のうち連続した破断線２０ａは予め外側フラップ１７を貫通しているため、連続した破断線２０ａ近傍から断続した破断線２０ｂが徐々に破断していく。その結果、外側フラップ１７のうち、破断線２０に囲まれた領域２１が内側フラップ１５側に残り、外側フラップ１７に領域２１に対応する開口が形成される。このようにして包装用カートン１０の一方の開口１２が開封される。
【００３３】
使用者が一方の開口１２を密閉部１３により再び密閉する場合、外側フラップ１７を再度折り曲げて係止フラップ１８を箱状体１１内に挿入することになるが、外側フラップ１７には領域２１に対応する開口が形成されるので、一旦密閉部１３を開封したことを外部から容易に確認することができる。
【００３４】
以上のように本実施の形態によれば、密閉部１３を開封するために外側フラップ１７を内側フラップ１５から引き離した場合、外側フラップ１７に破断線２０により囲まれた領域２１が内側フラップ１５側に残り、外側フラップ１７にこの領域２１に対応する開口が形成されることになる。このため密閉部１３が開封されたことを外部から容易に確認することができる。また各密閉部１３は、対応する一対の内側フラップ１５，１５と、この内側フラップ１５，１５上に重ね合わされる外側フラップ１７の３つのフラップ１５，１５，１７のみからなるので密閉部１３の構成を簡略化することができる。
【００３５】
次に図３および図４により、本発明の変形例について説明する。
【００３６】
図３および図４に示す変形例は、密閉部１３を構成する外側フラップ１７の破断線２０の形状が異なるのみであり、他は図１および図２に示す実施の形態と略同一である。図３および図４において、図１および図２に示す実施の形態と同一部分には同一符号を付して詳細な説明は省略する。
【００３７】
図３に示すように、外側フラップ１７に破断線２０が設けられており、この破断線２０は接合部２２の外周に全周に渡って延びる断続した破断線２０ｂからなっている。
【００３８】
断続した破断線２０ｂは、全周にわたって外側フラップ１７を貫通しているわけではないので、断続した破断線２０ｂ内部の領域２１を断続した破断線２０ｂにより保持することができる。
【００３９】
図３において、外側フラップ１７を内側フラップ１５から引き離した場合、外側フラップ１７は断続した破断線２０ｂに沿って破断し、断続した破断線２０ｂ内部の領域２１は内側フラップ１５側に残る。
【００４０】
また図４において、外側フラップ１７に破断線２０が設けられており、この破断線２０は接合部２２外周であって外側フラップ１７の自由端側に位置する連続した破断線２０ａからなっている。このような連続した破断線２０ａは外側フラップ１７の自由端側のみに部分的に延びるため、接合部２２の外周のうち連続した破断線２０ａ以外の部分２０ｃにより破断線２０で囲まれた領域２１が保持される。
【００４１】
図４において、外側フラップ１７を内側フラップ１５から引き離した場合、外側フラップ１７に、連続した破断線２０ａから部分２０ｃ側へ延びる裂け目が生じる。この場合、外側フラップ１７の部分２０ｃには破断線２０ａが形成されていないため、外側フラップ１７の裂け目は不規則的に部分２０ｃ側に形成される。
【００４２】
【発明の効果】
以上のように本発明によれば、密閉部の外側フラップを内側フラップから引き離した場合、外側フラップの破断線により囲まれた領域が内側フラップ状に残る。このため密閉部た開封したことを外部から容易に確認することができる。また密閉部は一対の内側フラップと、外側フラップのみからなるため、密閉部の構造をきわめて簡略化することができる。
【図面の簡単な説明】
【図１】本発明による包装用カートンの一実施の形態を示す斜視図。
【図２】包装用カートンのブランクを示す平面図。
【図３】包装用カートンの変形例を示すブランクの平面図。
【図４】包装用カートンの変形例を示すブランクの平面図。
【符号の説明】
１０  包装用カートン
１１  箱状体
１１ａ，１１ｂ，１１ｃ，１１ｄ  側面
１２  開口
１３  密閉部
１５  内側フラップ
１７  外側フラップ
２０  破断線
２０ａ  連続した破断線
２０ｂ  断続した破断線
２１  領域
２２  接合部
２３  切込線
【図１】
0004840678.tif 000002
【図２】
0004840678.tif 000003
【図３】
0004840678.tif 000004
【図４】
0004840678.tif 000005